(57)【要約】【課題】業務用エコキュートへの入水温度を常に給水温度としようとするもので、業務用エコキュートの特性の，入水温度はプラス温度で低い程効率がよいという事実に即し、常にその温度で入水させる運転を行い、その運転による熱を循環保温に利用する。【解決手段】給湯器における高効率循環保温システムにおいて、昼夜を問わず、業務用エコキュートの高効率運転を引き出し、システム全体の効率を向上させる手段として、夜間蓄熱中においては、低温（5 °Ｃ〜25°Ｃ）から高温（90°Ｃ〜70°Ｃ）へ運転の高温の熱を、5 °Ｃを、循環保温に利用し、昼間放熱中においては、給湯使用が大の場合、上部チャンバーに高温水が流入し、この高温水の熱を５°Ｃ循環保温に利用し、給湯使用量が小の場合は、上部チャンバーが70°Ｃに低下すると、前記エコキュートを運転（高効率低温→高温）してチャンバー内の高温水を利用して循環保温を行う。【選択図】      図１
2013221714.tif 000002
【特許請求の範囲】
【請求項１】
給湯器における高効率循環保温システムにおいて、昼夜を問わず、業務用エコキュートの高効率運転を引き出し、システム全体の効率を向上させる手段として、
夜間蓄熱中においては、低温（５°Ｃ〜２５°Ｃ）から高温（９０°Ｃ〜７０°Ｃ）へ運転の高温の熱を、５°Ｃを、循環保温に利用し、
昼間放熱中においては、給湯使用が大の場合、上部チャンバーに高温水が流入し、この高温水の熱を５°Ｃ循環保温に利用し、給湯使用量が小の場合は、上部チャンバーが７０°Ｃに低下すると、その熱で保温し、
業務用エコキュートを運転（高効率  低温→高温）してチャンバー内に高温水を利用して循環保温を行うことを特徴とする高効率循環保温方法。
【発明の詳細な説明】
【技術分野】
【０００１】
この発明は、給湯器における高効率循環保温方法に関するものである。
【背景技術】
【０００２】
従来の夜間電力を利用した業務用エコキュート（エコキュートとは、ヒートポンプ技術を利用し、空気の熱で湯を沸かすことができる電気給湯機のうち、冷媒としてフロンでなく二酸化炭素を使用している機種の総称である。）利用の蓄熱システムの二次側循環システムは、別熱源の小温度差（Δｔ＝５°Ｃ）循環のヒートポンプ（年平均ｃｏｐ＝２．３）を用いる方式、配信取付型電気ヒーター（ｃｏｐ＝１．０）を用いる方法、そして、サブタンクを設けての業務用エコキュートによる製造熱利用をする方法があるが、これらのシステムのうち、前の２つの方法は機器効率が低いものであった。
【０００３】
そのサブタンク方式は、業務用エコキュートの高温（９０°Ｃ〜７０°Ｃ）部の温水を循環系に入れて、その高温（９０°Ｃ〜７０°Ｃ）から６０°Ｃ程度までの熱を利用して循環ラインを保温する方法である。
【０００４】
しかし、負荷状況によっては、後の業務用エコキュート運転効率を大きく低下させる状況に陥る場合が下記のように多々ある
【０００５】
１）  夜間蓄熱中：  給湯負荷は、ほとんどない。
循環負荷  ＞  高温水熱供給（９０°Ｃ→６０°Ｃ）この場合、メインタンクへサブタンクより５５°Ｃの中温水が流入して、この中温水がエコキュートに入水するためエコキュート運転（入水５５°Ｃ→出湯９０°Ｃ）効率がＣＯＰ＝１．８程度となり大幅に低下する。
２）  昼間放熱中：  給湯負荷は、大である。
循環負荷  ＜  高温水熱供給（９０°Ｃ→６０°Ｃ）この場合、給湯負荷大の場合、保温本来の熱量は小、給湯負荷小の場合、保温熱量は大となる。
【０００６】
即ち，保温熱量大の場合、サブタンクへ中温水入水、さらに続くと、メインタンクへ中温水入水という状況となり、後のエコキュート運転の効率を低下させる要因となっている。
【０００７】
従って、総合的には２４時間循環の施設では、エコキュートを利用しているにも係わらず、システム全体の効率を低下させているという欠点があった。例えば、特許文献１のように。
【先行技術文献】
【特許文献】
【０００８】
【特許文献１】実用新案登録第３１５８２７２号公報
【発明の概要】
【発明が解決しようとする課題】
【０００９】
そこで、このの課題は、業務用エコキュートへの入水温度を常に給水温度とするものであり、該エコキュートの特性として、入水温度はプラス温度で低い程効率がよいという特質を有しているので、常にその温度で入水させる運転を行い、その運転による熱を循環保温に利用することにより、蓄熱、循環の総合効率を大幅にアップさせる事が可能となる給湯器における高効率循環保温方法を提供することにある。
【００１０】
従来よりの循環保温は、循環のラインに高温水を供給し、保温していたが、循環負荷の大きい施設（２４時間運転をする病院等）ではサブタンクだけでなく、メインタンクに中温水が流入し、夜間の業務用エコキュートへの入水温度が中温水となり大幅なＣＯＰの低下をしているのが実情である。
【課題を解決するための手段】
【００１１】
そこで、上記の課題を解決するため、昼夜を問わず、業務用エコキュートの高効率運転を引き出し、システム全体の効率を大幅にアップさせる給湯器における高効率循環保温方法を開発・提供することにある。
【発明の効果】
【００１２】
この発明によると、従来の保温は、ヒートポンプ（別熱源）、電気ヒーター（別熱源）、サブタンク方式（同一熱源であるが、ｃｏｐ低下がある）等があり、高効率とは言えないものの、イニシャルコストの上昇するものであったが、同一熱源で夜間蓄熱の熱利用、エコキュートの高効率運転により、省エネルギー、省コスト、省イニシャルコストが実現できる等、極めて有益なる効果を奏する。
【図面の簡単な説明】
【００１３】
【図１】この発明の一実施例を示す配管系統図である。
【発明を実施するための形態】
【００１４】
以下、この発明について詳細に説明する。尚、この発明においては、以下の記述に限定されるものではなく、この発明の要旨を逸脱しない範囲においては適宜変更可能である。
【実施例】
【００１５】
この発明の一実施例を図面に基づいて詳述すると、給湯器における高効率循環保温システムにおいて、昼夜を問わず、業務用エコキュート（２）の高効率運転を引き出し、システム全体の効率を向上させる手段として、夜間蓄熱中においては、温度成層式蓄熱槽（１）内の低温域（５°Ｃ〜２５°Ｃ）から高温域（９０°Ｃ〜７０°Ｃ）に昇温された熱を、５°Ｃ程度を循環保温に利用し、高効率運転で循環保温を行う。昼間放熱中においては、給湯使用量が多くなり、高温水（９０°Ｃ〜７０°Ｃ）がどんどん上部チャンバー内経由で消費されて行く。この時、チャンバー内に流入した高温水の５°Ｃ程度を循環保温に利用し、蓄熱高効率の熱を利用して循環保温を行う。又、昼間、追焚き運転中も、夜間高熱時と同じ運転状態での高効率運転を行う。
【００１６】
尚、温度成層式蓄熱槽（１）内は、下部の低温域（５°Ｃ〜２５°Ｃ）から上部の高温域（９０°Ｃ〜７０°Ｃ）の中間には、６０°Ｃ〜５０°Ｃの混合域を有するものである。
【００１７】
また、夜間蓄熱中は、配管（Ａ）で前記エコキュート（２）に、５°Ｃ〜２５°Ｃの低温水（給水）が供給され、エコキュート（２）により加熱されて配管（Ｂ）で７０°Ｃ〜９０°Ｃ）の高温水がタンク内の上部チャンバーに供給される。この高温水を配管（Ｄ）に取り付けられた給湯循環加温ポンプ（４）で、熱交換器（３）に供給し、５°Ｃ程度の熱を供給し、配管（Ｅ）で上部チャンバーに帰って行く。これにより給湯配管の保温（温度維持）を行う。
【００１８】
この場合、前記エコキュートを運転（高効率  低温→高温）してチャンバー内に高温水を提供し、その高温水を利用して循環保温を行うことを特徴とする給湯器における高効率循環保温システムから構成される。
【００１９】
尚、温度成層式の蓄熱槽（１）は、該蓄熱槽（１）の低温域（５°Ｃ〜２５°Ｃ）から業務用エコキュート（２）に向け、配管（Ａ）により５°Ｃ〜２５°Ｃの低温水を送水する。また、業務用エコキュート（２）からは、電動三方弁（５ａ）を介して蓄熱槽（１）の高温域（９０°Ｃ〜７０°Ｃ）に向けて、配管（Ｂ）により９０°Ｃ〜７０°Ｃの高温水を供給するものである。
【００２０】
また、温度成槽式の蓄熱槽（１）の高温域（９０°Ｃ〜７０°Ｃ）からミキシングバルブ（６）を介して６５°Ｃの温水を配管（Ｋ）および配管（Ｊ）により６０°Ｃで給湯する。
【００２１】
給湯返り管である配管（Ｉ）と、配管（Ｊ）間には熱交換器（３）を設けて、蓄熱槽（１）内の高温水で、給湯返りの温度が下がれば、給湯循環加温ポンプ（４）をＯＮ・ＯＦＦし、循環保温を行う。
【００２２】
ポンプ（４）は昇温が必要な場合のみ運転し、ムダな熱損失を防止する。
【００２３】
密閉式の蓄熱システムのため、給湯に使用した水量と同じ給水が配管（Ｌ）より下部チャンバーに流入し、タンク内での温度差により成槽を形成する。
【産業上の利用可能性】
【００２４】
この発明によると、給湯器における高効率循環保温システムの製造技術を確立し、それに基づいて製造・販売することにより、省エネルギ化が図れ、産業上の利用可能性があるものである。
【符号の説明】
【００２５】
１  温度成層式の蓄熱槽
２  業務用エコキュート
３  熱交換器
４  給湯循環加温ポンプ
５ａ，５ｂ，５ｃ  電動三方弁
６  ミキシングバルブ
Ａ，Ｂ，Ｃ，Ｄ，Ｅ，Ｆ，Ｇ，Ｈ，Ｉ，Ｊ，Ｋ  配管
【図１】
2013221714.tif 000003